(57)【要約】【課題】軽量化及び低コスト化を図ると共に、保温性を低下させることなく身体に対する馴染み性の良い掛布団を提供する。【解決手段】掛布団は、略矩形状の表布２と裏布３との周縁を止着して袋状の本体１Ａを形成し、本体１Ａにキルティング加工を施して、保温材が充填される複数の収容部２Ａ，２ａ〜２ｄを備えている。本体１Ａの幅方向両側、及び、縦方向両側を単層構造とし、それ以外の中央領域に層仕切布を配設して、複数の上層側収容部及び複数の下層側収容部を備えた二層構造としたことを特徴とする。【選択図】  図１
0003219693.tif 000002
【実用新案登録請求の範囲】
【請求項１】
略矩形状の表布と裏布との周縁を止着して袋状の本体を形成し、前記本体にキルティング加工を施して、保温材が充填される複数の収容部を備えた掛布団において、
前記本体の幅方向両側、及び、縦方向両側を単層構造とし、それ以外の中央領域に層仕切布を配設して、複数の上層側収容部及び複数の下層側収容部を備えた二層構造としたことを特徴とする掛布団。
【請求項２】
前記二層構造となった中央領域は、上層側のキルティングと下層側のキルティングがずれた状態で、前記上層側収容部及び下層側収容部が形成されていることを特徴とする請求項１に記載の掛布団。
【請求項３】
前記二層構造となった中央領域の保温材が充填される収容部の数は、上層側よりも下層側が多いことを特徴とする請求項１または２に記載の掛布団。
【請求項４】
前記二層構造の上層側収容部に充填される保温材の総量は、下層側収容部に充填される保温材の総量よりも多いことを特徴とする請求項１から３のいずれか１項に記載の掛布団。
【考案の詳細な説明】
【技術分野】
【０００１】
本考案は、羽毛、羊毛、綿などの保温材が充填された掛布団に関する。
【背景技術】
【０００２】
従来、掛布団として、表布と裏布の周囲を縫着し、その内部に保温材を充填した構成が知られている。このような掛布団は、保温性、及び、身体との密着性が重要であるため、キルティング加工を施している。通常、キルティング加工は、充填される保温材が偏らないように、例えば格子状に構成されており、マス目を大きくすることで保温性を高めることができ、マス目を小さくすることで、身体との密着性を向上することが知られている。また、上記したようなキルティング加工が施された掛布団として、例えば、特許文献１に開示されているように、内部を２層構造にして保温性を高めることが知られている。
【先行技術文献】
【特許文献】
【０００３】
【特許文献１】特開２０１６−２０２７６２号
【考案の概要】
【考案が解決しようとする課題】
【０００４】
上記した従来技術では、全体を二層構造としているため、層仕切布（中生地）の使用量が多くなってしまい、コストが高くなると共に重量が重くなってしまう。また、全体を二層構造にすると、布団全体としての保温性は高まるものの、全面に亘って硬くなってしまい身体に対する馴染み性が低下してしまう。
【０００５】
本考案は、上記した実情に着目してなされたものであり、軽量化及び低コスト化を図ると共に、保温性を低下させることなく身体に対する馴染み性の良い掛布団を提供することを目的とする。
【課題を解決するための手段】
【０００６】
上記した目的を達成するために、本考案は、略長方形状の表布と裏布との周縁を止着して袋状の本体を形成し、前記本体にキルティング加工を施して、保温材が充填される複数の収容部を備えた掛布団において、前記本体の幅方向両側、及び、縦方向両側を単層構造とし、それ以外の中央領域に層仕切布を配設して、複数の上層側収容部及び複数の下層側収容部を備えた二層構造としたことを特徴とする。
【０００７】
上記した掛布団では、中央領域は二層構造となっており、周端領域（幅方向両側及び縦方向両側）は単層構造となっている。このような構造では、従来のように、全てが二層構造となっている掛布団と比較すると、層仕切布の使用量が少なくなり、軽量化が図れると共にコストを低減することが可能となる。また、就寝時に身体が位置する中央領域が二層構造となっているため、保温性が低下することはなく、周端領域は、単層構造となって軟らかい状態となるため、身体に対する馴染み性が良くなり、保温効果が高められる。
【考案の効果】
【０００８】
本考案の掛布団によれば、層仕切布が少なくなることで、軽量化及び低コスト化が図れると共に、保温性を低下させることなく身体に対する馴染み性の良い掛布団が得られる。
【図面の簡単な説明】
【０００９】
【図１】本考案に係る掛布団の一実施形態を示す斜視図。
【図２】図１に示す掛布団を示す図であり、（ａ）は表側から見た平面図、（ｂ）はＡ−Ａ線に沿った断面図。
【図３】図１に示す掛布団を示す図であり、（ａ）は裏側から見た平面図、（ｂ）はＢ−Ｂ線に沿った断面図。
【図４】本考案に係る掛布団の使用時における身体に対する馴染み性を模式的に示す図。
【考案を実施するための形態】
【００１０】
以下、図面を参照して本考案の実施形態について説明する。  
図１は本考案に係る掛布団の一実施形態を示す斜視図、図２（ａ）は表側から見た平面図、図２（ｂ）はＡ−Ａ線に沿った断面図、図３（ａ）は裏側から見た平面図、図３（ｂ）はＢ−Ｂ線に沿った断面図である。
である。
【００１１】
本実施形態の掛布団１は、略長方形状の表布２と、略同形状の裏布３の周縁５を縫い糸によって縫い合わせて止着した袋状の本体１Ａを備えており、シングルサイズとして構成されている（２２５ｃｍ×１５８ｃｍ程度）。前記裏布３側の周縁５には、掛布団カバー固定用の紐を装着するための固定部６が複数個所設けられている。
【００１２】
前記掛布団１は、従来の掛布団と同様、キルティング加工を施して保温材が充填される複数の収容部を備えた構成となっている。この場合、本実施形態の収容部は、略矩形形状で格子状に形成されるが、収容部の形状については限定されることはない。
【００１３】
前記本体１Ａの中央領域には、袋状の本体１Ａを上下層に区分けする層仕切布１０が配設され、中央領域（図１で示す斜線領域）は二層構造で、それ以外の領域（本体３の幅方向両側、及び、縦方向両側）は単層構造となっている。すなわち、中央領域は、複数の上層側収容部２Ａ及び複数の下層側収容部３Ａを備えた二層構造となっており、それ以外の周端領域は、収容部２ａ〜２ｄによって中央領域を囲む単層構造となっている。層仕切布１０は、後述する分割仕切布１２によって、表布２と裏布３に対してキルティング加工（縫着）されており、表布２と裏布３との間の内部空間を上下に区分けしている。なお、図において、各収容部に対応して付されている参照符号は、収容部として容積が等しい（略等しいを含む）ものについて同一のものが用いられている。
【００１４】
本実施形態では、前記キルティング加工を行なうに際して、内部空間を、幅方向および長手方向に直線的に区分けするように、分割仕切布１２によって格子状に区切っている。分割仕切り布１２は、本体内に充填される保温材の移動を防止する機能を備えており、これにより、保温材に偏りが生じることなく、全体に保温材を均等に充填することが可能となる。なお、複数の収容部を形成するための縫着方法については、適宜変形することが可能であり、特別の形態に限定されることはない。
【００１５】
前記表布２、裏布３、層仕切布１０及び分割仕切布１２は、充填状態にある保温材を通さないが、通気性を有する素材（例えば、綿、シルク、ポリエステル）によって形成（編成）されている。また、各収容部に充填される保温材は、掛布団の保温材として使用可能なものであれば良く、羽毛、羊毛、綿等で構成することが可能であり、周縁部分に設けられた開口（図示せず）を通じて各収容部に充填される。
【００１６】
本実施形態では、表側の中央領域を、同じ大きさの略矩形の収容部２Ａで横２区画、縦３区画に区切っており、裏側の中央領域を、同じ大きさの略矩形の収容部３Ａで横３区画、縦３区画に区切っている。このため、二層構造となった中央領域は、上層側のキルティングと下層側のキルティングがずれた状態（分割仕切布１２の位置がずれた状態）で、上層側の収容部及び下層側収容部が形成されている。また、二層構造の上下に形成される収容部の数については、上層側（６区画）よりも下層側（９区画）を多くしている。
【００１７】
上記した掛布団１によれば、中央領域は二層構造となっており、幅方向両側及び縦方向両側は単層構造となっているため、全てが二層構造となっている掛布団と比較すると、層仕切布１０の使用量を少なくすることができ、軽量化が図れると共にコストを低減することが可能となる。また、就寝時に身体が位置する中央領域を二層構造としているため、保温性が低下することはなく、周端領域は、単層構造で軟らかい状態となっているため、身体に対する馴染み性が良くなり、保温効果が高められる。
【００１８】
これを図４の模式図を参照して具体的に説明すると、本実施の形態では、主に身体が当たる中央領域が二層構造であるため、保温性が高い状態となっており、周端部は変位し易い単層構造であるため、本体１Ａの周端側が軟らかく撓むことができ、就寝者Ｐを包み込むような状態（馴染み性が良い状態）となる。この結果、敷き布団２０との間で生じる隙間Ｓを少なくして保温効果を高めることができる。この場合、全面に亘って二層構造になっている従来の掛布団５０は、布団全体としては保温効果はあるものの、周端領域が硬いため、実線（本考案）のように就寝者Ｐを軟らかく包むように撓むことはできず、点線で示すように、敷き布団２０との間での隙間Ｓが広くなってしまい、保温効果が低下してしまう。特に、首回りや足回り付近では、隙間Ｓが広くなると、体温からの暖気が抜け易くなってしまうが、本実施形態では、その部分が身体を包み込むように撓んで敷き布団を覆うため、保温効果が低下するようなことはない。
【００１９】
また、本実施形態では、図２及び図３に示すように、上層側のキルティングと下層側のキルティングの位置（分割仕切布１２の位置）がずれた状態で上層側収容部及び下層側収容部が形成されているため、放熱を抑制して保温効果を高めることができる。すなわち、下層側は、就寝者の体温が伝達される部位であり、体温からの暖気については表布２の表面から外部に徐々に放出されるが、その際、分割仕切布１２との縫い目部分での放出が大きくなる。縫い目の位置が、上層側と下層側で重なっていると、その縫い目から集中的に暖気が放出してしまうが、分割仕切布１２の位置を、図２（ｂ）、図３（ｂ）で示すように上層側と下層側でずらすことで暖気が集中的に放出されることが抑制され、保温効果を低下させることはない。
【００２０】
また、本実施形態では、下層側の収容部の数を多くしているため、身体に対するフィット性も良くなる。  
さらに、上記した上層側の収容部２Ａを合せた容積と、下層側の収容部３Ａを合せた容積は略等しいが、保温材を各収容室に充填するに際しては、上層側に充填される保温材の総量を、下層側収容部に充填される保温材の総量よりも多くすることが好ましい。上層側の保温材を量を多くすることで、重量化することなく、効率的に保温効果を高めることが可能となる。
【００２１】
以上、本考案に係る掛布団の実施形態の一例を示したが、本考案は上記した実施形態に限定されるものではなく、本考案の趣旨を逸脱しない範囲において、種々の変更を加えることが可能である。例えば、上記した二層構造における上層側と下層側の各収容部の大きさや形状については、特に限定されることはない。また、充填される保温材の量についても、適宜、変更することが可能である。
【符号の説明】
【００２２】
１  掛布団
２  表布
２Ａ，２ａ〜２ｄ，３Ａ  収容部
３  裏布
１０  層仕切布
１２  分割仕切布
【図１】
0003219693.tif 000003
【図２】
0003219693.tif 000004
【図３】
0003219693.tif 000005
【図４】
0003219693.tif 000006